(57)【特許請求の範囲】
【請求項１】
第１筐体と、
第２筐体と、
前記第２筐体を前記第１筐体に回転軸の周りに回転自在に連結するためのヒンジ部とを備え、
前記ヒンジ部は、操作部を有し、一方の端部に設けられた第１ヒンジ部と他端部に設けられた第２ヒンジ部を有し、
前記第１ヒンジ部は、
前記第２筐体に結合され、前記操作部の操作に応答して前記第２筐体に回動力を付与する回動力付与部と、
前記第１筐体に結合され、前記回動力付与部を制止し、前記操作部の操作に応答して前記回動力付与部の制止を解く第１制止部と
を備え、
前記第２ヒンジ部は、
前記第２筐体に結合され、前記第２筐体とともに回動する回動部と、
前記第１筐体に結合され、前記回動部を制止する第２制止部と
を備え、
前記第１制止部は、山型突起部を有する第１ディスクを有し、
前記回動力付与部は、前記第１ディスクに対向して設けられ、平坦面と、前記平坦面に続き、前記山型突起部に勘合する山型後退面を有する第２ディスクを有し、
前記回動部は平坦面に形成された溝を有する第３ディスクを有し、
前記第２制止部は、前記第３ディスクに対向して設けられ、前記第３ディスクの前記溝と嵌合する突起部を有する第４ディスクを有し、
前記第２筐体は、前記操作部の操作に応じて、前記第１制止部による前記回動力付与部の制止が解かれ、前記回動力により閉じられた状態を示す第１角度位置から自動的に回動し、その後前記第１制止部の前記山型後退部が前記回動力付与部の前記山型突起部と係合することにより前記回動力付与部が制止されて予め決められた第２角度位置まで開き、前記操作部の操作がないとき、前記第１角度位置において前記第２制止部の前記突起部は前記回動部の前記溝と勘合し、前記第２制止部の前記突起部が前記回動部の前記平坦面に当接することにより前記第２制止部が前記回動部を制止して前記第１角度位置と前記第２角度位置との間の第３角度位置に手動で動かされ維持される
折り畳み型携帯電話機。
【請求項２】
請求項１に記載の折り畳み型携帯電話機において、
前記回動力付与部は、
前記第２筐体に結合された第１固定筒と、
前記第１固定筒内で両端が前記第１固定筒と前記第１ディスクとに固定され、前記第１ディスクに対して前記第１固定筒を回転付勢する第１ばねとをさらに具備し、
前記操作部の操作に対応し、前記第２ディスクを前記回転軸方向に移動させて前記第１ディスクと前記第２ディスクとの係合を解除し、前記第１ばねの回転付勢により前記第１固定筒と前記第２ディスクとを回転させる
折り畳み型携帯電話機。
【請求項３】
請求項２に記載の折り畳み型携帯電話機において、
前記第１ヒンジ部は、更に、
前記第１角度位置のとき、前記第１ディスクと前記第２ディスクとの係合を維持するように前記第２ディスクを前記第１ディスクに付勢する第２ばねを備えた
折り畳み型携帯電話機。
【請求項４】
請求項１乃至３のいずれかに記載の折り畳み型携帯電話機において、
前記第２制止部は、
前記第４ディスクを前記第３ディスクに付勢する第３ばねとを備えた
折り畳み型携帯電話機。
【請求項５】
請求項１乃至４のいずれかに記載の折り畳み型携帯電話機において、
前記第２ヒンジ部は、前記第３ディスクの前記後退部と前記第４ディスクの前記突起部とが係合するとき、前記第３ディスクと前記第４ディスクとの係合の結果を音にして使用者に報知する
折り畳み型携帯電話機。
【発明の詳細な説明】
【０００１】
【発明の属する技術分野】
本発明は、携帯電話機に関し、特に折り畳み型携帯電話機に関する。
【０００２】
【従来の技術】
従来の折り畳み型携帯電話機においては、閉じた状態から開く際に片手のみで開くことは難しく、一般的に２つの筐体を両手を使って開く必要があり、片手しか使えない場合等は非常に不便であった。この課題を解決するために、片手だけの操作で通話するための状態に開くことができる従来の技術として、例えば特開平１１−４１３２８号公報では、ヒンジ部端面に押しボタンを設けて、そのボタンを押すことにより折り畳んだ状態から自動的にオープンする機能（ワンタッチオープン機能）を有する“折り畳み型携帯電話機”が開示されている。
【０００３】
この折り畳み型携帯電話機は、第１筐体と第２筐体を回転可能に連結するヒンジ部に、第１筐体と第２筐体を互いに開く方向に回転付勢するばねと、第１筐体と第２筐体とが折り畳まれた状態にロックするロック機構と、ヒンジ端面に設けられ、ロック機構のロックを解除するときに押されるボタンとから構成され、ボタンを押すと回転付勢ばねの力により折り畳まれた状態（以下、閉状態：第１筐体及び第２筐体の一方を回転させることで折り畳み型携帯電話機が閉じた状態）から通話するための形態（以下、開状態：第１筐体及び第２筐体の一方を回転させることで折り畳み型携帯電話機が開いた状態）まで一気に開く構造となっている。
【０００４】
また、特開平１１−２３４３７７号公報では、上ケースと下ケースとをヒンジ結合して一つに折り畳める構成としたケースの開閉操作補助機構を備え、片手でワンタッチ式に開閉操作できるようにした“折り畳み式小型電子機器”が開示されている。
【０００５】
この折り畳み式小型電子機器の開閉操作補助機構は、折り畳み状態での上ケースと下ケースの相対する部分にそれぞれ配置した上ケース用マグネット及び下ケース用マグネットを備えている。それら両マグネットの少なくとも一方のマグネットは他方のマグネットに対して外部からの押圧操作により移動可能であり、かつ、押圧操作時に両マグネットどうしが反発し合い、押圧操作解除時に引き合うような極性の配置形態を有する構成としたことを特徴としている。
【０００６】
また、特許２５８２５３１号公報では、上部筐体とアンテナ部及びフックスイッチを含む下部筐体とをヒンジ部によって連結し上部筐体と下部筐体とを筐体係止手段で係止して折り畳み状態にすることができる“折り畳み式携帯電話機”が知られている。
【０００７】
この折り畳み式携帯電話機は、上部筐体と下部筐体とを折り畳み状態から展開状態へ開放駆動する係止開放手段と、開放駆動に連動してアンテナ部の所定部分を下部筐体から突出させるアンテナ突出手段と、開放駆動に連動してフックスイッチを駆動しこの携帯電話機をオフフック状態とするフックスイッチ駆動手段とを備えている。筐体係止手段が、下部筐体に配設した第１の磁石と、折り畳み状態においてはヒンジ部の係止開放力より大きい磁石で第１の磁石と互いに引き合うように上部筐体に配設した第２の磁石とを備えており、係止開放手段が、第１の磁石と第２の磁石との間に生じる磁石を係止開放力より小さくするように第１の磁石の位置を移動させる磁石移動構造であることを特徴としている。
【０００８】
また、特許２６５８９０６号公報では、受話器と送話器のいずれかを有する第一筐体及び第二筐体からなり、これら第一及び第二筐体がヒンジ部を介して回動自在に結合した“折り畳み携帯電話器”が知られている。
【０００９】
この折り畳み携帯電話器は、筐体付勢手段と、筐体係止手段と、筐体係止解除手段と、アンテナと、アンテナ付勢手段と、アンテナ係止手段と、アンテナ係止解除手段と、フックスイッチと、スライドボタンとを具備している。筐体付勢手段は第一及び第二筐体を常に一定角度に開くように付勢する。筐体係止手段は、第一及び第二筐体を折り畳んだ状態で係止する、第一筐体に配設した第一磁石と、係止状態において付勢手段の付勢力により大きい吸引力で第一磁石と吸着する第二筐体に配設した第二磁石とからなる。筐体係止解除手段は、この係止手段による係止を解除する、第一及び第二磁石間の吸引力を付勢力より小さくするように第一又は第二磁石の位置を移動させる。アンテナは、第二筐体にヒンジ部を介して回動自在に取り付けられている。アンテナ付勢手段は、このアンテナを第二筐体に対して常に一定角度に開くように付勢する。アンテナ係止手段は、アンテナを第二筐体側に折り畳んだ状態で係止する、アンテナに配設したアンテナ磁石と、係止状態においてアンテナ付勢手段の付勢力により大きい吸引力でアンテナ磁石と吸着する第二筐体に配設した筐体磁石とからなる。アンテナ係止解除手段は、このアンテナ係止手段による係止を解除する、アンテナ及び筐体磁石間の吸引力をアンテナ付勢手段の付勢力より小さくするように筐体磁石の位置を移動させる。フックスイッチは電話を通話状態にする。スライドボタンは第二筐体外部から押圧可能である。筐体係止解除手段、アンテナ係止解除手段、フックスイッチ及びスライドボタンが、第二筐体内にスライド移動可能に配設された連結部材により構成されることを特徴としている。
【００１０】
【発明が解決しようとする課題】
しかしながら、これらの従来の技術によれば、ワンタッチオープン機能を有する折り畳み型携帯電話機は、押しボタンを押さないで使用者自身の手で開いた場合でも自動的に開く力が働き、閉状態から開状態まで一気に開いてしまい使い勝手に問題があった。これは、従来の折り畳み型携帯電話機の長所である閉状態と開状態との間の任意の位置で、第１筐体と第２筐体との成す角度を保持する機能（以下、フリーストップ機能）を有していないためである。また、押しボタンを押さないで使用者自身の手で開いた場合、上述の折り畳み型携帯電話機は、その反動で使用者の手から落下してしまうような危険性も生じる。これにより、押しボタンを押さないで使用者自身の手で開く場合、使用者は両手で抑えるように上述の折り畳み型携帯電話機を開けなければならないため、使用者への負担が大きい。
【００１１】
このため、フリーストップ機能と、片手だけの操作で閉状態から開状態にすることができるワンタッチオープン機能とを併せ持った非常に使い勝手のよい折り畳み型携帯電話機が望まれる。
【００１２】
本発明の目的は、フリーストップ機能とワンタッチオープン機能とを選択的に利用することにより利用性が向上する折り畳み型携帯電話機を提供することにある。
【００１３】
本発明の他の目的は、片手で開くことができる構造にすることにより操作性が向上する折り畳み型携帯電話機を提供することにある。
【００１４】
本発明の更に他の目的は、フリーストップ機能とワンタッチオープン機能とを選択的に利用することにより、使用者への負担を軽減できることで保守性が向上する折り畳み型携帯電話機を提供することにある。
【００１５】
【課題を解決するための手段】
その課題を解決するための手段が、下記のように表現される。その表現中の請求項対応の技術的事項には、括弧（）付きで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明白にしている。このような対応・橋渡しは、請求項記載の技術的事項が実施の形態又は実施例の技術的事項に限定されて解釈することを意味しない。
【００１６】
本発明による折り畳み型携帯電話機は、第１筐体（１１）と、第２筐体（１２）と、第１筐体（１１）に固定され、第２筐体（１２）を第１筐体（１１）に回転自在に連結するためのヒンジ部（１３）とを備えている。ヒンジ部（１３）は、操作部（１６）を備えている。第２筐体（１２）は、操作部（１６）の操作に応じて、閉じられた状態を示す第１角度位置から予め決められた角度位置を示す第２角度位置まで開き、操作部（１６）の操作がないとき、第１角度位置、第２角度位置、第１角度位置と第２角度位置との間の第３角度位置のいずれか一方の角度位置に維持される。
【００１７】
ヒンジ部（１３）は、第１ヒンジ部（１５）と、第２ヒンジ部（１４）とを備えている。ここで、第１ヒンジ部（１５）は実施の形態で説明される第２ヒンジユニット１５に対応し、第２ヒンジ部（１４）は実施の形態で説明される第１ヒンジユニット１４に対応する。第１ヒンジ部（１５）は、ヒンジ部（１３）の一端に設けられ、操作部（１６）を有し、操作部（１６）の操作に応じて、第２筐体（１２）が第１角度位置から第２角度位置まで回転する。第２ヒンジ部（１４）は、ヒンジ部（１３）の他端に設けられ、第１角度位置から第２角度位置まで第２筐体（１２）を回転可能であり、操作部（１６）の操作がないとき、第１角度位置、第２角度位置、第３角度位置のいずれか一方の角度位置を維持する。
【００１８】
第１ヒンジ部（１５）は、第１筐体（１１）に同体である第１筐体側連結部分（１１ａ）と、第２筐体（１２）に同体である第２筐体側連結部分（１２ａ）とを同軸に回転自在に連結する。第２筐体側連結部分（１２ａ）にはガイド溝（１２ｄ）が設けられている。
【００１９】
第１ヒンジ部（１５）は、固定ディスク（４１）と、第１固定筒（４２）と、第１ディスク（４４ｂ）と、第１連結部分（４４ａ）と、第１ばね（４３）と、第２ディスク（４５）と、ロック解除ボタン（１６）とを備えている。ここで、第１ディスク（４４ｂ）は実施の形態で説明される第３ディスク４４の第３ディスク本体４４ｂに対応し、第１連結部分（４４ａ）は実施の形態で説明される第３ディスク４４の筒部４４ａに対応する。また、第２ディスク（４５）は実施の形態で説明される第４ディスク４５に対応する。また、第１固定筒（４２）は実施の形態で説明される第２固定筒４２に対応する。
【００２０】
固定ディスク（４１）は、第１筐体側連結部分（１１ａ）内に固定されている。第１固定筒（４２）は、第２筐体側連結部分（１２ａ）内に設けられている。第１ディスク（４４ｂ）は、第１固定筒（４２）内に設けられている。第１連結部分（４４ａ）は、一端が第１ディスク（４４ｂ）に接続され、他端が第１固定筒（４２）を貫通し、固定ディスク（４１）に１軸（Ｌ）の方向に移動可能に連結されている。第１ばね（４３）は、第１固定筒（４２）内で両端が第１固定筒（４２）と第１ディスク（４４ｂ）とに固定され、第１ディスク（４４ｂ）に対して第１固定筒（４２）を回転付勢する。第２ディスク（４５）は、第１固定筒（４２）内で第１ディスク（４４ｂ）と係合される。第１固定筒（４２）には、第２ディスク（４５）が１軸（Ｌ）の方向に移動するための長さを有する穴（４２ｅ）が設けられている。第２ディスク（４５）には、穴（４２ｅ）を挿通し、穴（４２ｅ）の長さを移動するためのガイドリブ（４５ａ）が設けられている。ロック解除ボタン（１６）は、操作部（１６）に対応し、第２ディスク（４５）と連結され、押下のとき、第２ディスク（４５）を１軸（Ｌ）の方向に移動させ、第１ばね（４３）の回転付勢により第１固定筒（４２）と第２ディスク（４５）とを回転させて第１ディスク（４４ｂ）と第２ディスク（４５）との係合を解除する。
【００２１】
ロック解除ボタン（１６）の押下に応じて、ガイドリブ（４５ａ）は第２筐体側連結部分（１２ａ）のガイド溝（１２ｄ）に係合される。第２筐体（１２）は、第１角度位置から第２角度位置まで回転する。
【００２２】
第１ヒンジ部（１５）は、更に、第２ばね（４６）を備えている。第２ばね（４６）は、第１角度位置のとき、第１固定筒（４２）内で第１ディスク（４４ｂ）と第２ディスク（４５）との係合を維持するように第２ディスク（４５）を第１ディスク（４４ｂ）に付勢する。
【００２３】
第２ヒンジ部（１４）は、第１筐体（１１）に同体である第３筐体側連結部分（１１ｃ）と、第２筐体（１２）に同体である第４筐体側連結部分（１２ｂ）とを同軸に回転自在に連結する。第４筐体側連結部分（１２ｂ）には突起部（１２ｆ）が設けられている。
【００２４】
第２ヒンジ部（１４）は、シャフト（３５）と、第３ディスク（３２）と、第２固定筒（３３）と、第４ディスク（３１）と、第３ばね（３４）とを備えている。ここで、第３ディスク（３２）は実施の形態で説明される第２ディスク３２に対応し、第４ディスク（３１）は実施の形態で説明される第１ディスク３１に対応する。また、第２固定筒（３３）は実施の形態で説明される第１固定筒３３に対応する。
【００２５】
シャフト（３５）は、１軸（Ｌ）に沿うように設けられている。第３ディスク（３２）は、第４筐体側連結部分（１２ｂ）の突起部（１２ｆ）と係合するための溝（３２ｂ）とを有し、シャフト（３５）を軸にして回転する。第２固定筒（３３）は、第３筐体側連結部分（１１ｃ）内に固定されている。第４ディスク（３１）は、第２固定筒（３３）内に設けられ、第２筐体（１２）が第１角度位置又は第２角度位置のときに第３ディスク（３２）と係合し、第２筐体（１２）が第３角度位置のときに第３ディスク（３２）と係合しない。第３ばね（３４）は、第２固定筒（３３）内に設けられ、第１角度位置、第２角度位置、第３角度位置のいずれか一方の角度位置を維持するように第４ディスク（３１）を第３ディスク（３２）に付勢する。
【００２６】
第２ヒンジ部（１４）は、第３ディスク（３２）と第４ディスク（３１）とが係合するとき、第３ディスク（３２）と第４ディスク（３１）との係合の結果を音にしてユーザに報知する。
【００２７】
第４筐体側連結部分（１２ｂ）の突起部（１２ｆ）と、第３ディスク（３２）の溝（３２ｂ）との間には、所定のクリアランスが設けられている。ユーザに報知される音は、第３ディスク（３２）と第４ディスク（３１）とが係合するときに発生する突起部（１２ｆ）と溝（３２ｂ）との衝突音である。
【００２８】
【発明の実施の形態】
添付図面を参照して、本発明による折り畳み型携帯電話機の実施の形態を以下に説明する。
【００２９】
図１は、本発明の折り畳み型携帯電話機の開いた状態を示す傾視図である。
【００３０】
図１に示されるように、本発明の折り畳み型携帯電話機は、内表面に表示部６１が設けられた第１筐体１１と、内表面に操作部５１が設けられた第２筐体１２と、第１筐体１１と第２筐体１２とに接続されたヒンジ１３からなる。表示部６１の上方（Ｘ２方向）に位置する第１筐体１１の内表面には受話部６２が設けられている。操作部５１の下方（Ｘ１方向）に位置する第２筐体１２の内表面には送話部５２が設けられている。
【００３１】
第１筐体１１と第２筐体１２はヒンジ１３を介して回転可能（開閉可能）に連結されている。即ち、ヒンジ部１３は、第１筐体１１に対して、第２筐体１２を回転自在に連結する。本発明の折り畳み型携帯電話機における開閉動作の状態には閉状態と開状態とがある。閉状態とは、ヒンジ１３により第２筐体１２が閉じられる方向に回転されることで第１筐体１１の内表面と第２筐体１２の内表面とが接触し、本発明の折り畳み型携帯電話機が閉じた状態をいう。開状態とは、ヒンジ１３により第２筐体１２を開かれる方向に回転されることで本発明の折り畳み型携帯電話機が開いた状態、即ち、使用者が通話可能になる状態をいう。
【００３２】
ヒンジ１３は、Ｙ２方向からＹ１方向に、同じ外径と同じ内径を有する筒部１１ａ、１２ａ、１１ｂ、１２ｂ、１１ｃから構成される。筒部１１ａ、１１ｂ、１１ｃは第１筐体１１に接続され、筒部１２ａ、１２ｂは第２筐体１２に接続されている。ヒンジ１３の一端には第１ヒンジユニット１４が設けられ、ヒンジ１３の他端には第２ヒンジユニット１５が設けられている。第１ヒンジユニット１４は、筒部１１ｃと筒部１２ｂとに装着され、閉状態と開状態との間の任意の位置で、第１筐体１１と第２筐体１２との成す角度を保持（維持）する機能、即ち、フリーストップ機能を有するヒンジユニットである。第２ヒンジユニット１５は、筒部１１ａと筒部１２ａとに装着され、ボタンのようなものを押すことにより折り畳んだ状態から自動的にオープンする機能、即ち、ワンタッチオープン機能を有するヒンジユニットである。
【００３３】
ここで、第１ヒンジユニット１４によるフリーストップ機能、第２ヒンジユニット１５によるワンタッチオープン機能について図２を参照しながら説明する。
【００３４】
まず、第１ヒンジユニット１４によるフリーストップ機能について説明する。
【００３５】
第１ヒンジユニット１４による機能では、図２（ｃ）に示すように第１筐体１１と第２筐体１２との成す角度がθ１以下の場合、図２（ａ）に示されるように第１筐体１１と第２筐体１２との成す角度が０゜、即ち閉状態（折り畳んだ状態）にするための閉力（閉じる方向の回転力）が働く。また、第１ヒンジユニット１４による機能では、図２（ｃ）に示すように第１筐体１１と第２筐体１２との成す角度が（α−θ２）以上の場合、図２（ｂ）に示されるように第１筐体１１と第２筐体１２との成す角度がα（例えばα＝１６０゜）、即ち開状態にするための開力（開く方向の回転力）が働く。このとき、図２（ｂ）に示される開状態では、ヒンジ１３が接続された第１筐体１１の端部１１ｅと、ヒンジ１３が接続された第２筐体１２の端部１２ｅが突き当たることにより、第１筐体１１と第２筐体１２との成す角度がα以上にならないように開力が抑えられる。また、第１ヒンジユニット１４によるフリーストップ機能では、図２（ｃ）に示すように第１筐体１１と第２筐体１２との成す角度βが（θ１＜β＜（α−θ２））の範囲にある場合、その角度βを保持するためのトルクが働く。
【００３６】
このように、第１ヒンジユニット１４は、第２筐体１２の成す角度０゜（閉状態）を示す第１角度位置から、第２筐体１２の成す角度α（開状態）を示す予め決められた第２角度位置まで、第２筐体１２を回転可能であり、第１角度位置、第２角度位置、第２筐体１２の成す角度βを示す第３角度位置のいずれか一方の角度位置を維持する。
【００３７】
次に、第２ヒンジユニット１５によるワンタッチオープン機能について説明する。
【００３８】
第２ヒンジユニット１５によるワンタッチオープン機能では、図２（ａ）に示すように第１筐体１１と第２筐体１２との成す角度が０゜の閉状態（折り畳んだ状態）において、ボタンのような操作部を操作することにより、図２（ｂ）に示されるように第１筐体１１と第２筐体１２との成す角度がα（例えばα＝１６０゜）、即ち閉状態から自動的に開状態にするための回転付勢力が働く。このとき、図２（ｂ）に示される開状態では、ヒンジ１３が接続された第１筐体１１の端部１１ｅと、ヒンジ１３が接続された第２筐体１２の端部１２ｅが突き当たることにより、第１筐体１１と第２筐体１２との成す角度がα以上にならないように回転付勢力が抑えられる。
【００３９】
このように、第２ヒンジユニット１５は、操作部を備え、操作部の操作に応じて、第２筐体１２が第１角度位置から第２角度位置まで回転する。
【００４０】
次に、第１ヒンジユニット１４の構成について図３、図４、図５を参照しながら説明する。第１ヒンジユニット１４は、図３に示されるように、第１筐体１１に同体である筒部１１ｃと、第２筐体１２に同体である筒部１２ｂとを同軸に回転自在に連結する。図５に示されるように、筒部１２ｂ内には、Ｚ１、Ｚ２方向に位置する突起部１２ｆが２つずつ設けられている。
【００４１】
この第１ヒンジユニット１４は、図４に示されるように、Ｙ２方向からＹ１方向に、シャフト３５、第２ディスク３２、第１ディスク３１、圧縮コイルばね３４、第１固定筒３３、キャップ１７を備えている。
【００４２】
シャフト３５は、軸Ｌに沿うように設けられ、Ｙ２方向からＹ１方向に、シャフト本体３５ａ、シャフト本体３５ａに対して軸径が小さい軸３５ｂ、軸３５ｂに対して軸径が小さい軸３５ｃ、軸３５ｃに対して軸径が小さい軸３５ｄから構成される。
【００４３】
第２ディスク３２は、Ｙ２方向からＹ１方向に、スナップフィット部３２ａと第２ディスク本体３２ｄとから構成され、スナップフィット部３２ａは第２ディスク本体３２ｄのＹ２方向の片面に設けられている。図５に示されるように、第２ディスク本体３２ｄとスナップフィット部３２ａには軸３５ｂを挿通し、第２ディスク３２がシャフト３５とともにシャフト３５を軸にして回転するための穴３２ｃが設けられている。第２ディスク本体３２ｄには、第２ディスク本体３２ｄのＺ１、Ｚ２方向に位置してＹ２方向からＹ１方向へ延びる溝３２ｂと、第２ディスク本体３２ｄのＹ１方向の片面にＸ１、Ｘ２方向に延びる凹部３２ｅが２つずつ設けられている。第２ディスク３２は、第２筐体１２に接続された筒部１２ｂ内に収納され、２つの溝３２ｂの各々は、筒部１２ｂの内面に設けられた２つの突起部１２ｆに各々固定／係合され、第２ディスク３２と第２筐体１２は連結される。
【００４４】
図４に示されるように、第１ディスク３１は、第１ディスク本体３１ｄと、第１ディスク本体３１ｄのＸ１、Ｘ２方向に位置する２つのガイドリブ３１ａとから構成される。第１ディスク本体３１ｄには軸３５ｃを挿通する穴３１ｃが設けられている。２つのガイドリブ３１ａの各々は、各々Ｙ２方向に第２ディスク３２の凹部３２ｅと係合する凸部３１ｅが設けられている。
【００４５】
第１固定筒３３は、Ｙ２方向からＹ１方向に、筒部３３ｃと底面部３３ｄとから構成される。筒部３３ｃには、圧縮コイルばね３４、第１ディスク３１が収納される。圧縮コイルばね３４は、筒部３３ｃ内の第１ディスク３１と底面部３３ｄとの間に収納される。筒部３３ｃには、Ｘ１、Ｘ２方向に位置する２つのガイド溝３３ａと、筒部３３ｃのＺ１、Ｚ２方向に位置してＹ２方向からＹ１方向へ延びる２つの溝３３ｂとが設けられている。ガイド溝３３ａは、第１ディスク３１のガイドリブ３１ａをＹ方向以外の方向を固定し、第１ディスク３１のガイドリブ３１ａは、第１固定筒３３に設けられたガイド溝３３ａに沿ってＹ方向に摺動できる。第１ディスク３１は、第１筐体１１に接続された筒部１１ｃ内に収納され、２つの溝３３ｂの各々は、筒部１１ｃに設けられた２つの図示せぬ突起部に各々固定され、第１ディスク３１と第１筐体１１は連結／固定される。底面部３３ｄには軸３５ｄを挿通する穴が設けられ、軸３５ｄはカシメ固定されている。
【００４６】
また、図３に示されるように、第１ディスク３１は圧縮コイルばね３４の付勢力により常に第２ディスク３２を圧接している。また、第２ディスク３２に設けられたスナップフィット部３２ａは、筒部１１ｂに隣接する筒部１２ｂの底面部１２ｈに設けられた穴１２ｇを挿通して抜け止め固定されている。これにより、第１ヒンジユニット１４は第２筐体１２に対して抜け止め固定されている。尚、キャップ１７は第１ヒンジユニット１４が外観上露出する部分を覆うための化粧キャップである。また、第１ディスク３１は、第２筐体１２が第１角度位置又は第２角度位置のときに第２ディスク３２と係合し、第２筐体１２が第３角度位置のときに第２ディスク３２と係合しない。この場合、圧縮コイルばね３４は、第１角度位置、第２角度位置、第３角度位置のいずれか一方の角度位置を維持するように第１ディスク３１を第２ディスク３２に付勢する。
【００４７】
次に、第２ヒンジユニット１５の構成について図６、図７、図８を参照しながら説明する。第２ヒンジユニット１５は、図６に示されるように、第１筐体１１に同体である筒部１１ａと、第２筐体１２に同体である筒部１２ａとを同軸に回転自在に連結する。図８に示されるように、筒部１１ａ内には、Ｚ１、Ｚ２方向に位置する突起部１１ｆが２つずつ設けられている。筒部１２ａは、第１筒部１２ｍと、第１筒部１２ｍより内径が小さい第２筒部１２ｎとから構成される。第１筒部１２ｍは筒部１１ａに隣接し、第２筒部１２ｎは筒部１１ｂに隣接する。筒部１２ａの第２筒部１２ｎ内には、Ｚ１方向に位置し、第１筒部１２ｍの内半径と第２筒部１２ｎの内半径との差以上の深さと、Ｙ方向に特定の長さとを有するガイド溝１２ｄが設けられている。
【００４８】
この第２ヒンジユニット１５は、図７に示されるように、Ｙ２方向からＹ１方向に、ロック解除ボタン１６、固定ディスク４１、第２固定筒４２、ねじりコイルばね４３、第３ディスク４４、第４ディスク４５、圧縮コイルばね４６を備えている。
【００４９】
ロック解除ボタン１６は、Ｙ２方向からＹ１方向に、ボタン本体１６ｅとフランジ部１６ａとから構成される。フランジ部１６ａは、軸１６ｂと、軸１６ｂに対して軸径が小さい軸１６ｃと、軸１６ｃとから構成される。
【００５０】
固定ディスク４１には、穴４１ａと、固定ディスク４１のＺ１、Ｚ２方向に位置してＹ２方向からＹ１方向へ延びる２つの溝４１ｂが設けられている。穴４１ａにはＸ１、Ｘ２方向に位置してＹ２方向からＹ１方向へ延びる２つの溝４１ｃが設けられている。図８に示されるように、固定ディスク４１は、第１筐体１１に接続された筒部１１ａ内に設けられ、２つの溝４１ｂの各々は、筒部１１ａ内に設けられた２つの突起部１１ｆに各々連結され、固定ディスク４１は第１筐体１１に連結／固定される。
【００５１】
図７に示されるように、第２固定筒４２は、筒部１２ａに設けられ、Ｙ２方向からＹ１方向に、上底部４２ｂと筒部４２ｃと底面部４２ｄとから構成される。筒部４２ｃには、Ｙ１方向からＹ２方向に、圧縮コイルばね４６、第４ディスク４５、ねじりコイルばね４３が収納されている。圧縮コイルばね４６は、筒部４２ｃ内の第４ディスク４５と底面部４２ｄとの間に収納されている。筒部４２ｃには、中央部のＺ１方向に位置し、第４ディスク４５が軸Ｌの方向（Ｙ方向）に移動するための長さを有する穴４２ｅが設けられている。上底部４２ｂには穴４２ｆが設けられている。底面部４２ｄにはスナップフィット部４２ａが設けられている。
【００５２】
第３ディスク４４は、Ｙ２方向からＹ１方向に、筒部４４ａと第３ディスク本体４４ｂとから構成される。筒部４４ａは、一端が第３ディスク本体４４ｂに接続され、他端が第２固定筒４２を貫通し、固定ディスク４１に軸Ｌの方向に移動可能に連結されている。第３ディスク本体４４ｂは、第２固定筒４２内に設けられている。筒部４４ａのＹ２方向に位置する端部には、Ｘ１、Ｘ２方向に位置する２つの突起部４４ｃが設けられている。筒部４４ａは、ねじりコイルばね４３と、第２固定筒４２の上底部４２ｂに設けられた穴４２ｆとを挿通し、筒部４４ａに設けられた突起部４４ｃの各々は、固定ディスク４１に各々設けられた溝４１ｃに連結されている。
【００５３】
ねじりコイルばね４３は、第２固定筒４２内で両端が第２固定筒４２の上底部４２ｂに設けられた止め部４２ｇと、第３ディスク本体４４ｂに設けられた止め部４４ｄとに固定され、第３ディスク本体４４ｂに対して第２固定筒４２を回転付勢する（図６参照）。
【００５４】
筒部４４ａと第３ディスク本体４４ｂには、筒部４４ａの所定の位置まで軸１６ｂを挿通して連結する穴４４ｅが設けられている。これにより、ロック解除ボタン１６のボタン本体１６ｅと固定ディスク４１との間には所定の距離Ａ１が設けられる（図６参照）。ここで、溝４１ｃ及び突起部４４ｃのＹ方向の長さは所定の距離Ａ１より長い。この所定の距離Ａ１は、ロック解除ボタン１６のボタン本体１６ｅがＹ２方向からＹ１方向に押された場合のストロークに対応する。第３ディスク本体４４ｂには、第３ディスク本体４４ｂのＹ１方向の片面に、Ｘ１、Ｘ２方向に位置する２つの凸部４４ｆが設けられている。
【００５５】
第４ディスク４５は、Ｙ２方向からＹ１方向に、筒部４５ｂと第４ディスク本体４５ｃとから構成される。筒部４５ｂは、軸１６ｂと外径が同じである。筒部４５ｂには、軸１６ｃを挿通する穴４５ｄが設けられている。第４ディスク本体４５ｃには軸１６ｃの先端を挿通する図示せぬ穴が設けられ、軸１６ｃの先端１６ｄはカシメ固定されている。これにより、ロック解除ボタン１６は、第４ディスク４５と連結される。筒部４５ｂは、第３ディスク４４の筒部４４ａと第３ディスク本体４４ｂに設けられた穴４４ｅを、筒部４４ａの上述した所定の位置まで挿通する。第４ディスク本体４５ｃには、第４ディスク本体４５ｃのＹ２方向に片面に、Ｘ１、Ｘ２方向に位置する２つの凹部４５ｅが設けられ、第４ディスク本体４５ｃに設けられた２つの凹部４５ｅの各々は、第３ディスク本体４４ｂの凸部４４ｆと係合される。即ち、第４ディスク４５は、第２固定筒４２内で第３ディスク４４と係合される。
【００５６】
圧縮コイルばねは、第１角度位置のとき、第２固定筒４２内で第３ディスク４４と第４ディスク４５との係合を維持するように第４ディスク４５を第３ディスク４４に付勢する。
【００５７】
第４ディスク本体４５ｃには、Ｚ１方向に位置してＹ２方向からＹ１方向へ延びるガイドリブ４５ａが設けられている。ガイドリブ４５ａは、第２固定筒４２の筒部４２ｃに設けられた穴４２ｅを挿通することで、その一部が第２固定筒４２から突出され、穴４２ｅの長さを移動する。ここで、図８に示されたガイド溝１２ｄのＹ方向の特定の長さは、ガイドリブ４５ａのＹ方向の長さより大きく、穴４２ｅのＹ方向の長さは、ガイド溝１２ｄのＹ方向の特定の長さと、ガイドリブ４５ａのＹ方向の長さとを加算した長さより長い。
【００５８】
また、図６に示されるように、第２固定筒４２に設けられたスナップフィット部４２ａは、筒部１１ｂに隣接する筒部１２ａの底面部１２ｊに設けられた穴１２ｉを挿通して抜け止め固定されている。これにより、第２ヒンジユニット１５は第２筐体１２に対して抜け止め固定されている。また、操作部に対応するロック解除ボタン１６は、ボタン本体１６ｅがＹ２方向からＹ１方向に押された場合、第４ディスク４５を所定の距離Ａ１だけ軸Ｌの方向（Ｙ方向）に移動させ、ねじりコイルばね４３の回転付勢により第２固定筒４２と第４ディスク４５とを回転させて第３ディスク４４と第４ディスク４５との係合を解除する。ここで、第４ディスク４５が所定の距離Ａ１を移動したとき、第２固定筒４２から突出されるガイドリブ４５ａの一部は、筒部１２ａ内に設けられたガイド溝１２ｄと係合され（図８参照）、第４ディスク４５と第２筐体１２は連結され、第２筐体１２は、第１角度位置から第２角度位置まで回転する。一方、ロック解除ボタン１６のボタン本体１６ｅがＹ２方向からＹ１方向に押されていない場合、第２固定筒４２から突出されるガイドリブ４５ａの一部は、第２筐体１２に接続された筒部１２ａと係合されていない。
【００５９】
次に、本発明の折り畳み型携帯電話機における開閉動作について図３及び図６を参照して説明する。折り畳み型携帯電話機の第１筐体１１と第２筐体を閉状態から開状態に開く方法として、基本的には、１）ロック解除ボタン１６を押して開ける（ワンタッチ（片手）で開ける）ことと、２）ロック解除ボタン１６を押さずに開ける（第１筐体１１と第２筐体１２をそれぞれ左右の手で保持し、両手を使って開ける）こととの２通りの場合が考えられる。
【００６０】
まず、１）ロック解除ボタン１６を押して開ける（ワンタッチ（片手）で開ける）方法を説明する。
【００６１】
図６に示されるように、本発明の折り畳み型携帯電話機を閉じた状態では、第４ディスク４５は圧縮コイルばね４６の付勢力により第３ディスク４４の方向（Ｙ２方向）に付勢されているため、第４ディスク４５の凹部４５と第３ディスクの凸部４４ｆが係合状態（ロック状態）にある。ロック解除ボタン１６は、第３ディスク４４と連結され、固定ディスク４１、第２固定筒４２、第３ディスク４４を挿通し、第４ディスク４５を回転軸方向に押すためのフランジ部１６ａを有しているため、常に第４ディスク４５を介して圧縮コイルばね４６の付勢力を受けている。また、ねじりコイルばね４３の両端は、上述したように、第２固定筒４２および第３のディスク４４に固定されている。折り畳み型携帯電話機を閉じた状態では、圧縮コイルばね４６の軸方向への付勢力により第４ディスク４５の凹部４５ｅと第３ディスク４４の凸部４４ｆとが係合状態にあり、ねじりコイルばね４３はねじられ、回転付勢力を蓄えた状態を維持している。
【００６２】
次に、ロック解除ボタン１６を押し込むことにより、ロック解除ボタン１６と連結された第４ディスク４５は圧縮コイルばね４６の付勢力に抗しつつ、第２固定筒４２の内部を軸方向（Ｙ２方向からＹ１方向）に移動すると同時に、第４ディスク４５に設けられたガイドリブ４５ａが筒部１２ａの内面に設けられたガイド溝１２ｄと係合して第２固定筒４２と第２筐体１２は係合状態となる。また、ロック解除ボタン１６を押し込む過程で第３ディスク４４の凸部４４ｆが押される。第３ディスク４４の凸部４４ｆが押されることでねじりコイルばね４３の回転付勢力により、第２固定筒４２が回転される。第２固定筒４２が回転されることで第３ディスク４４の凸部４４ｆと第４ディスク４５の凹部４５ｅとのロック状態が解除される。第３ディスク４４と第４ディスク４５とのロック状態が解除されることで、第４ディスク４５は、ねじりコイルばね４３の回転付勢力により回転し、第１筐体１１と第２筐体１２は、互いに開く方向の回転力が生じて開状態まで一気に開く。
【００６３】
次に、この開状態から第１筐体１１と第２筐体１２を互いに閉じることにより、再びねじりコイルばね４３がねじられて回転付勢力が蓄えらると同時に、第３ディスク４４の凸部４４ｆと第４ディスク４５の凹部４５ｅが係合し、ねじりコイルばね４３の回転付勢力が維持された状態となる。
【００６４】
次いで、２）ロック解除ボタン１６を押さずに開ける（第１筐体１１と第２筐体１２をそれぞれ左右の手で保持し、両手を使って開ける）方法を説明する。
【００６５】
従来考案されているワンタッチオープン式折り畳み型携帯電話機によれば、ロック解除ボタンを押さずに手動で開いた場合、ワンタッチオープン機能のロック解除ボタンを押した場合と同様にロックが解除され、ねじりコイルばねの付勢力により開状態の角度まで一気に開いてしまうという欠点がある。本発明の折り畳み型携帯電話機に使用するワンタッチオープン機能を有する第２ヒンジユニット１５によれば、ロック解除ボタン１６を押したときのみワンタッチオープン機能が有効となる構造になっている。即ち、ロック解除ボタン１６を押さない状態では第４ディスク４５に設けられたガイドリブ４５ａと第２筐体１２とが係合されていないため、第１筐体１１と第２筐体１２は、互いにねじりコイルばね４３の付勢力とは無関係に、両手を使うことにより回転可能な状態にある。
【００６６】
従って、２）の方法のようにロック解ボタン１６を押さずに、第１筐体１１と第２筐体１２を互いに回転させようとした場合には、第１ヒンジユニット１４の機能のみ有効となる。即ち、第１ヒンジユニット１４の機能とは、第１筐体１１と第２筐体１２が成す角度βが閉状態と開状態の中間（θ１＜β＜（α−θ２）、  ここでθ１、θ２は任意に設定可能であるが、一般的にθ１、θ２は共に１０〜２０゜程度が望ましい）の範囲ではその角度βを保持する機能（フリーストップ機能）を有し、且つ、閉じる直前の角度θ１においては閉じる方向に吸い込み力と呼ばれる回転力を生じ、開状態直前の角度（１６０゜−θ２）において開く方向に吸い込み力が生じる構造になっているため閉状態および開状態での保持力を有する。これにより、折り畳み型携帯電話機を机上において表示部を見る場合等に第１筐体１１と第２筐体１２の成す角度を表示が見やすい任意の角度に保持できる。
【００６７】
図３（ａ）に示されるように、本発明の折り畳み型携帯電話機における第１筐体１１と第２筐体１２の成す角度が０゜〜θ１の場合、あるいは第１筐体１１と第２筐体１２の成す角度が（α−θ２）〜αの場合では第１ディスク３１の凸部３１ｅの傾斜面と第２ディスク３２の凹部３２ｅの傾斜面とが接触し、第１ディスク３１の凸部３１ｅと第２ディスク３２の凹部３２ｅは圧縮コイルばね３４の付勢力により圧接されている。このため、第１筐体１１と第２の１２の成す角度が０゜〜θ１の範囲にある場合には、第１ディスク３１の凸部３１ｅと第２ディスク３２の凹部３２ｅとが係合されるように常に閉力（閉じる方向の回転力）が生じ、第１筐体１１と第２筐体１２が成す角度が（α−θ２）〜αの範囲にある場合には、同様に第１ディスク３１の凸部３１ｅと第２ディスク３２の凹部３２ｅとが係合されるように常に開力（開く方向の回転力）が生じる。従って、折り畳み型携帯電話機を折り畳む際には閉状態付近の角度θ１に近づくと、上記閉力により第１筐体１１と第２筐体１２とが吸い込まれるように閉じ、逆に開状態付近の角度（α−θ２）まで開くと、上記開力により開く方向に第１筐体１１と第２筐体１２とが吸い込まれる。
【００６８】
次に、図３（ｂ）に示されるように、本発明の折り畳み型携帯電話機における第１筐体１１と第２筐体１２の成す角度が閉状態と開状態の中間の角度β（θ１＜β＜（α−θ２））にある場合では、第１ディスク３１の凸部３１ｅが第２ディスク３２の凹部３２ｅ以外の平面で接触し、第１ディスク３１の凸部３１ｅと第２ディスク３２の凹部３２ｅ以外の平面は圧縮コイルばね３４の付勢力により圧接されている。このため、第１筐体１１と第２筐体１２の成す角度がβの範囲にある場合には、第１ディスク３１の凸部３１ｅと第２ディスク３２の凹部３２ｅ以外の平面とが圧接されるように角度βを保持する力が生じ、第１筐体１１と第２筐体１２との成す角度βを任意の角度で保持できる。
【００６９】
尚、第１ヒンジユニット１４は、第１ディスク３１の凸部３１ｅと第２ディスク３２の凹部３２ｅとが係合するとき、第１ディスク３１と第２ディスク３２との係合の結果を音にして使用者に報知する。図５に示されるように、第１ヒンジユニット１４は、第２ディスク３２に設けられた溝３２ｂと、筒部１２ｂの内面に設けられた突起部１２ｆとの間の係合がはずれない程度の所定のクリアランスを設けることにより、第１ディスク３１の凸部３１ｅと第２ディスク３２の凹部３２ｅとが係合する際に第２ディスク３２の回転スピードが上がり、第２ディスク３２に設けられた溝３２ｂと筒部１２ｂの内面に設けられた突起部１２ｆとの衝突音が発生する。これにより、第１ヒンジユニット１４は、開状態および閉状態近傍におけるクリック音を故意に生じさせることができる。
【００７０】
これにより、本発明の折り畳み型携帯電話機は、ロック解除ボタンを押すとワンタッチオープン機能が働き、ロック解除ボタンを押さないで開くとワンタッチオープン機能が無効となりフリーストップ機能が働くため、フリーストップ機能とワンタッチオープン機能とを選択的に利用することにより利用性が向上する。
【００７１】
また、本発明の折り畳み型携帯電話機は、片手で開くことができるワンタッチオープン機能を有するため、素早く通話状態に入ることができ、操作性が向上する。
【００７２】
本発明の折り畳み型携帯電話機は、フリーストップ機能とワンタッチオープン機能とを選択的に利用することにより携帯電話機を落下させたりするような危険性がなく、使用者への負担を軽減でき、保守性が向上する。
【００７３】
尚、本発明の折り畳み型携帯電話機は、上記の説明に限定されず、第１ヒンジユニット１４の機能と第２ヒンジユニット１５の機能を一つのヒンジユニットで構成することも可能である。
【００７４】
【発明の効果】
本発明の折り畳み型携帯電話機は、フリーストップ機能とワンタッチオープン機能とを選択的に利用することにより利用性が向上する。
【図面の簡単な説明】
【図１】図１は、本発明の折り畳み型携帯電話機の開いた状態を示す傾視図である。
【図２】図２（ａ）は本発明の折り畳み型携帯電話機の折り畳み状態（閉状態）を示す側面図、同図（ｂ）は本発明の折り畳み型携帯電話機の使用状態（開状態）を示す側面図、同図（ｃ）は本発明の折り畳み型携帯電話機の閉状態と開状態の間でフリーストップ状態の角度範囲を示す側面図である。
【図３】図３（ａ）は本発明の折り畳み型携帯電話機における第１筐体と第２筐体の成す角度が０゜〜θ１の場合と（α−θ２）〜αの場合の第１ヒンジユニットの内部状態を示す断面図、同図（ｂ）は本発明の折り畳み型携帯電話機における第１筐体と第２筐体の成す角度が閉状態と開状態の間の角度β（θ１＜β＜（α−θ２））にある場合の第１ヒンジユニットの内部状態を示す断面図である。
【図４】図４は、本発明の折り畳み型携帯電話機における第１ヒンジユニットの構成要素を示す斜視図である。
【図５】図５は、本発明の折り畳み型携帯電話機における第２ディスクの形状を示す平面図である。
【図６】図６は、本発明の折り畳み型携帯電話機における第２ヒンジユニットの内部構造を示す断面図である。
【図７】図７は、本発明の折り畳み型携帯電話機における第２ヒンジユニットの構成要素を示す斜視図である。
【図８】図８は、本発明の折り畳み型携帯電話機のヒンジにおける第２ヒンジユニットを装着する筒部を示す斜視図である。
【符号の説明】
１１      第１筐体
１２      第２筐体
１３      ヒンジ
１４      第１ヒンジユニット
１５      第２ヒンジユニット
１６      ロック解除ボタン
１７      キャップ
３１      第１ディスク
３２      第２ディスク
３３      第１固定筒
３４      圧縮コイルばね
３５      シャフト
４１      固定ディスク
４２      第２固定筒
４３      ねじりコイルばね
４４      第３ディスク
４５      第４ディスク
４６      圧縮コイルばね
【図１】
0003686845.tif 000002
【図２】
0003686845.tif 000003
【図３】
0003686845.tif 000004
【図４】
0003686845.tif 000005
【図５】
0003686845.tif 000006
【図６】
0003686845.tif 000007
【図７】
0003686845.tif 000008
【図８】
0003686845.tif 000009